(57)【特許請求の範囲】
【請求項１】
複数の鍵本体と、
その複数の鍵本体を共通に支持する鍵共通支持部と、
前記鍵本体を前記鍵共通支持部に押離鍵方向に揺動可能に接続する接続部とを樹脂で一体に成形した鍵ユニットからなる鍵盤装置において、
前記接続部が、前記鍵本体の後端部から後方および側方へ延びる厚肉部と、その鍵幅方向の両端部と鍵共通支持部とを接続するヒンジ部となる一対の薄肉部とからなり、鍵幅方向の中間部である薄肉部の間に透孔を有し、
前記厚肉部に、前記透孔内に入り込むように後方へ延出した部分を設けたことを特徴とする鍵盤装置。
【請求項２】
請求項１記載の鍵盤装置であって、前記鍵ユニットにおける前記各接続部における鍵幅方向の中間部に、該鍵ユニットの成形時に樹脂が注入されるゲート対応部を設けたことを特徴とする鍵盤装置。
【発明の詳細な説明】
【０００１】
【発明の属する技術分野】
この発明は、電子オルガン，電子ピアノ，シンセサイザ等の電子鍵盤楽器に用いられる鍵盤装置に関する。
【０００２】
【従来の技術】
上述のような電子鍵盤楽器に用いられる鍵盤装置には、例えば特開平６−３４２２８１号公報に見られるような櫛歯型の鍵盤装置がある。
これを図９によって簡単に説明すると、押鍵操作される複数の鍵本体２，２と、その鍵本体２，２を共に支持して鍵並び方向に延びる鍵支持部（鍵共通支持部）３と、鍵本体２の後端２ａの鍵幅と同じ幅でその鍵本体２を鍵支持部３に矢視Ａで示す押鍵方向にそれぞれ揺動自在に接続する可撓性を有する接続部（支点部）４とを樹脂で一体成形して白鍵ユニット１を構成している。
【０００３】
同様にして他の白鍵ユニット１′と黒鍵ユニット１″を構成し、白鍵ユニット１の鍵支持部３を他の白鍵ユニット１′の鍵支持部３′の上に重ね合わせると共に、その鍵支持部３の上側に更に黒鍵ユニット１″の鍵支持部３″を重ね合わせて、それらをまとめて図示しないメインフレーム等の基部に螺子（ネジ）で固定する。
【０００４】
この図９に示す白鍵ユニット１，１′と黒鍵ユニット１″は、図示の都合上各鍵支持部３，３′，３″にそれぞれ２個づつの鍵本体を支持しているが、実際には、白鍵ユニット１′にはＣ，Ｅ，Ｇ，Ｂの各音の鍵本体を、白鍵ユニット１にはＤ，Ｆ，Ａの各音の鍵本体を、黒鍵ユニット１″にはＣ♯，Ｄ♯，Ｅ♯，Ｇ♯，Ａ♯の各音の鍵本体を、それぞれ一体に設けて、１オクターブ分の鍵ユニットを構成している。
【０００５】
このような鍵ユニット（鍵数は１オクターブ分とは限らない）を、鍵並び方向に複数個連結（隣接接続）して基部に螺子で固定し、Ｃ３７スケール，Ｃ４９スケール等の所要鍵数の鍵盤装置を構成する。
【０００６】
その際、従来のこの種の鍵盤装置においては、例えば図９に示した白鍵ユニット１′の鍵支持部３′の鍵並び方向の一端部に、隣接する他の白鍵ユニット１′の鍵支持部３′の鍵並び方向の他端部を重ね合わせ、黒鍵ユニット１″の鍵支持部３″の鍵並び方向の一端部に、隣接する他の黒鍵ユニット１″の鍵支持部３″の鍵並び方向の他端部を重ね合わせ、各螺子孔に一点鎖線で示すように螺子を挿通して、図示しないメインフレーム等の基部に螺子止めすることによって、隣接する各鍵ユニットを相互に連結して位置決め固定している。
【０００７】
そして、この鍵盤装置の下側には、各鍵に対応する鍵スイッチを搭載したキーボード回路基板等が設けられている。
このような鍵盤装置は、フレームに支点部の加工が不要であり、且つ複数の鍵が一体にユニット化されているので、部品点数が少なく、組立て保守も容易であり、製造コスト低減に極めて有効である。
【０００８】
また、特開平７−９２９６３号公報に見られるように、櫛歯型の鍵盤装置において鍵ガイドを不要にしたものもある。
それは図１０に示すように、各鍵ユニット１の鍵本体２と鍵支持部３との接続部４の中間部に透孔５を形成して、押離鍵方向には充分な可撓性を有しながら、その接続部４の鍵幅方向の全体幅Ｗを鍵本体２の後端の幅ａよりも広くして、図９に示したものと同様に、複数の白鍵ユニットと黒鍵ユニットの鍵支持部３を積み重ねて鍵盤装置を組み立てた時に、各接続部４の一部が隣合う鍵の接続部４（他の鍵ユニットに設けられている）とわずかな隙間を介して平面的に重なり合うようにしている。
【０００９】
このように、接続部４の全体幅Ｗを鍵本体２の後端の幅ａよりも広くすることにより、接続部４の鍵幅方向に対する断面二次モーメントが大きくなるので、鍵ガイドを使用しなくても鍵本体２の鍵幅方向の横振れ（ヨーイング）を充分に規制することができ、グリッサンド奏法などによる演奏にも支障のない鍵盤装置を安価に作製することができる。
【００１０】
【発明が解決しようとする課題】
しかしながら、このような従来の鍵盤装置では、各鍵ユニットを樹脂で成形する際に、金型のゲートから各鍵本体２の側部に相当する位置に樹脂が注入されていた。そのため、金型内の樹脂の流れにアンバランスが生じ、樹脂が歪んだ状態で固化することにより、成形された鍵ユニットの残留応力が高くなり、耐久性が落ちるという問題がある。特にゲートの回りやウエルドライン（樹脂の流れが合流したところにできるライン）で耐久性の低下が起こる。
【００１１】
鍵本体２の側部等に樹脂が注入されるゲート対応部が存在すると、鍵支持部３まで樹脂が流れる距離が長くなり、接続部４にウエルドラインができて、耐久性が低下する恐れがあるが、この接続部４は鍵本体２を押離鍵方向に揺動可能に鍵支持部３に接続するヒンジの役目を果すため薄肉であり、押鍵による撓み力が頻繁に加わるため、破損しやすくなる恐れがあった。さらに、支点強度の不均一により操作感も不均一になり、鍵の操作性も悪化することになる。
また、図１０に示したように接続部４の全体幅を広くして中間部に透孔５を形成した場合、接続部４の左と右の部分で樹脂の流れ方にアンバランスが生じて、一層耐久性が劣化する恐れもある。
【００１２】
この発明は、このような問題を解決するためになされたものであり、上述のように、鍵本体と鍵支持部と鍵本体を鍵支持部に押離鍵方向に揺動可能に接続する接続部とを樹脂で一体に成形した鍵ユニットからなる鍵盤装置において、金型に樹脂を流し込むときに樹脂の流れ方にアンバランスが生じたり、接続部にウエルドラインができたりしないようにして、鍵ユニットの耐久性と鍵の操作性を向上させることを目的とする。
【００１３】
【課題を解決するための手段】
この発明は上記の目的を達成するため、複数の鍵本体と、その複数の鍵本体を共通に支持する鍵共通支持部と、その鍵本体を鍵共通支持部に押離鍵方向に揺動可能に接続する接続部とを樹脂で一体に成形した鍵ユニットからなる鍵盤装置において、上記接続部が、上記鍵本体の後端部から後方および側方へ延びる厚肉部と、その鍵幅方向の両端部と鍵共通支持部とを接続するヒンジ部となる一対の薄肉部とからなり、鍵幅方向の中間部である薄肉部の間に透孔を有し、上記厚肉部に、上記透孔内に入り込むように後方へ延出した部分を設けたものである。
【００１５】
上記の鍵盤装置において、上記鍵ユニットにおける上記各接続部における鍵幅方向の中間部に、その鍵ユニットの成形時に樹脂が注入されるゲート対応部を設けるとよい。
【００１６】
【発明の実施の形態】
以下、この発明の実施の形態を図面に基づいて具体的に説明する。
図１はこの発明による鍵盤装置の一実施形態の１オクターブ分の鍵ユニットの重ね合わせ状態を示す平面図、図２はその鍵支持部に鉤部を形成した端部側から見た部分的な斜視図、図３はその鍵支持部の鉤部を形成した端部の部分的背面図、図４は図１に示した鍵ユニットの鍵支持部に係止部を形成した端部側から見た部分的な斜視図、図５はその側面図である。
【００１７】
これらの図に示す鍵ユニットは、図９に示した従来の鍵盤装置の鍵ユニットと同様に、第１，第２の白鍵ユニット１０，２０と黒鍵ユニット３０を、下側から各鍵支持部である鍵共通支持部１３，２３，３３を順に重ねて積層した３段の積層鍵盤を構成している。
【００１８】
その第１の白鍵ユニット１０は、Ｄ，Ｆ，Ａの各音の３個の鍵（白鍵）本体１２を、それぞれ接続部１４（図５）によって鍵共通支持部１３に押鍵方向に揺動可能に接続している。第２の白鍵ユニット２０は、Ｃ，Ｅ，Ｇ，Ｂの各音の４個の鍵（白鍵）本体２２を、それぞれ接続部２４によって鍵共通支持部２３に押鍵方向に揺動可能に接続している。黒鍵ユニット３０は、Ｃ♯，Ｄ♯，Ｅ♯，Ｇ♯，Ａ♯の各音の５個の鍵（黒鍵）本体３２を、それぞれ接続部３４によって鍵共通支持部３３に押鍵方向に揺動可能に接続している。
【００１９】
これらの各白鍵ユニット１０，２０及び黒鍵ユニット３０は、それぞれ樹脂で一体に成形されている。
この実施形態では、黒鍵ユニット３０が一番上に積層されているため、図１，図２，及び図４に最もよく示されているので、この黒鍵ユニット３０の接続部３４について、その詳細を説明するが、第１，第２の白鍵ユニット１０，２０の接続部１４，２４もこれと同様に形成されている。
【００２０】
黒鍵ユニット３０の接続部３４は、鍵本体３２の後端から後方及び両側方へ延びる厚肉部（鍵本体連動部）３４ａと、その両側部と鍵共通支持部３３とを接続するヒンジとなる１対の薄肉部３４ｂ，３４ｂとからなり、鍵幅方向の中間部である薄肉部３４ｂ，３４ｂの間に透孔３４ｃを有している。
そして、厚肉部３４ａの透孔３４ｃ内へ入り込むように後方へ延出した部分３４ａ１の先端部付近の鍵幅方向の中間部（好ましくは中央部）に、この黒鍵ユニット３０の成形時に樹脂が注入されるゲート対応部３４ｄが設けられている。
【００２１】
この黒鍵ユニット３０の接続部３４は、鍵本体３２と鍵共通支持部３３とを実質的に接続する薄肉部３４ｂの幅を小さくして押鍵方向の揺動を容易にしているが、図１に明示するように、その鍵幅方向の全体幅Ｗを鍵本体３２の後端の幅ｄよりも充分広くし、その一部が隣合う鍵の接続部（白鍵の接続部１４，２４）とわずかな隙間を介して平面的に重なり合うようにしている。
しかも、その全幅に亘って容易に変形しない厚肉部３４ａを設けているので、鍵本体３２の鍵幅方向へのヨーイング強度が高くなり、演奏時に鍵本体３２が鍵幅方向には殆ど揺動せず、鍵ガイドを不要にしている。
【００２２】
第１の白鍵ユニット１０の接続部１４及び第２の白鍵ユニット２０の接続部２４も同様に、厚肉部１４ａ，２４ａと薄肉部１４ｂ，２４ｂとからなり、鍵幅方向の中間部に透孔を有し、厚肉部１４ａ，２４ａの透孔内へ入り込むように後方へ延出した部分の先端部付近の鍵幅方向の中間部（好ましくは中央部）で、且つ積み重ねられた時に他のユニットの厚肉部と重ならない位置に、それぞれ白鍵ユニット１０，２０の成形時に樹脂が注入されるゲート対応部１４ｄ，２４ｄ（図１，図５）が設けられているが、図面にはその一部しか現われていない。
【００２３】
ここで、各鍵ユニットのゲート対応部１４ｄ，２４ｄ，３４ｄを、上述のように各接続部１４，２４，３４の厚肉部１４ａ，２４ａ，３４ａの中間部に設けたのは、鍵ユニットを成形する際に金型のゲートから樹脂が流れ込むときの流れ方、特に各鍵のヒンジとなる接続部の一対の薄肉部の流れ方にアンバランスが生じないようにして、鍵支点の均一化及び強度の向上を図り、各鍵の操作性とその均一性を向上させるためである。
【００２４】
また、ゲート対応部１４ｄ，２４ｄ，３４ｄを、各鍵の支点部付近まで厚肉部１４ａ，２４ａ，３４ａが延出した部分に設けたことと、各鍵ユニット１０，２０，３０が積み重ねられた時に他のユニットの厚肉部と重ならない位置に設けたのは、ゲート対応部１４ｄ，２４ｄ，３４ｄに樹脂の尖りが生じても、押鍵時にそれが他の鍵の接続部に当接するのを防ぎ、各ユニットの接続部を押鍵方向に近づけて重ねられるようにするためである。
【００２５】
黒鍵ユニット３０の鍵共通支持部３３は、複数の鍵本体３２を支持できるように、鍵並び方向に細長く且つ充分な支持強度が得られる厚さで形成されており、その両端部寄りの後面から一対の仮固定用の係止片３５を下方に延設しており、その先端に後述するフレームの係止孔に嵌合する突起部３５ａが設けられている。
【００２６】
また、長手方向に所定の間隔で本固定用螺子孔３６と、その周囲上面に上面が斜面に形成された座部３６ａが設けられ、その間の上面に、鍵盤後方に配置する部材（回路基板，パネル，スピーカボックス，フロッピディスク・ボックス等）を設置するための部品支持部３７を設けている。
【００２７】
また、この鍵ユニットは、白鍵ユニット１０，２０と黒鍵ユニット３０が、その各鍵共通支持部１３，２３，３３を重ねて積層された状態で、図１に示すようにその鍵共通支持部の鍵並び方向の一端部（この例では高音鍵側の端部）に鉤状に突出する鉤部４０を形成し、他端部（この例では低音鍵側の端部）にこの鍵ユニットに隣接する他の鍵ユニットの鉤部４０に嵌合する係止部５０を形成している。
【００２８】
鉤部４０は、図２及び図３に明示するように、第２の白鍵ユニット２０の鍵共通支持部２３の高音鍵側の端部に、その端面から鍵並び方向に突出する突片４１の先端部にそれと直交する鍵長手方向に沿う円柱状の鉤片４２を一体に設けている。
【００２９】
一方、係止部５０は、白鍵ユニット１０，２０及び黒鍵ユニット３０の各鍵共通支持部１３，２３，３３の低音鍵側の端部に、その端面からそれぞれ内側に切り欠いて形成された凹部５１，５２，５３からなる。
そして、鍵共通支持部２３の凹部５２は、低音鍵側に隣接する他の鍵ユニットの鉤部４０の鉤片４２が丁度嵌入し得る大きさを有し、端面側に鉤部４０の突片４１が丁度通過し得る幅のスリット５４ａを形成した壁部５４を設けている。
【００３０】
また、鍵共通支持部２３の凹部５２の上半部内周面は、上方に向けて開口が広くなる若干凹曲面をなすテーパ面に形成され、鍵共通支持部３３の凹部５３の上半部内周面は、上方に向けてさらに開口が広くなるテーパ面に形成されており、全体として図５に仮想線Ｙ，Ｙで示すように、上面から押鍵方向に向かってその幅が狭くなる逆八の字状凹部を形成している。
【００３１】
一方、鍵共通支持部２３の凹部５２の下半部内周面は、下方に向けて開口が広くなるテーパ面に形成され、鍵共通支持部１３の凹部５１の内周面は、下方に向けてさらに開口が広くなるテーパ面に形成されており、全体として図５に仮想線Ｚ，Ｚで示すように、押鍵方向に向かってその幅が広くなる八の字状凹部を形成している。１６は鍵共通支持部１３の螺子孔３６と対応する位置に設けた螺子孔である。
【００３２】
なお、鍵本体２２の後端部下面に突起２２ａが設けられており、鍵本体２２が強く押鍵された時、あるいは接続部２４に近い位置で押鍵された時に、後述するフレームに当接して鍵を保護する。同様な突起が他の鍵ユニットの各鍵本体１２及び３２の後端部下面にも設けられている。
このように構成した鍵ユニットを、鍵並び方向に複数連結して所要鍵数の鍵盤装置とするが、その際、複数の鍵ユニット同士を互いに隣接する鍵共通支持部の鉤部４０と係止部５０を嵌合させて連結する。
【００３３】
図６はその連結状態を示す部分的平面図であり、一つの鍵ユニットＪの鍵共通支持部３Ｊ（１３，２３，３３を重ねたもの）の一端部に形成した鉤部４０を、その高音鍵側に隣接する他の鍵ユニットＫの鍵共通支持部３Ｋの他端部に形成した係止部５０に嵌合する。それによって、鍵ユニットＪ，Ｋの相対位置が確実に決まり、隣接する鍵本体（この場合はＢ鍵とＣ鍵）の間の隙間ｔが一定になる。すなわち、この鉤部４０と係止部５０とが、隣接する鍵ユニットＪ，Ｋ間の連結手段と位置決め手段の役目を果たす。
【００３４】
また、係止部５０は鉤部４０と押鍵方向（上下方向）に離脱可能に嵌合する凹部であるから、任意の鍵ユニットを螺子によるフレームへの固定を解除するだけで、隣接する他の鍵ユニットをフレームに固定したままでも容易に取り外すことができ、保守作業等を容易に行なうことがができる。
【００３５】
しかも、その係止部５０の凹部の上半部が逆八の字状凹部に形成され、下半部が八の字状凹部に形成されているので、鉤部４０側を上下方向に移動させて脱着する場合も、係止部５０側を上下方向に移動させて脱着する場合もスムーズに脱着でき、鉤部４０が嵌合する際には、係止部５０はそのテーパ面によって所定の嵌合位置（幅狭部）へ案内する自動調芯機能を有するので、隣接する鍵間隔の精度がでる。
【００３６】
図７は、図１に示した１オクターブ分の鍵ユニット（鍵ユニットＪとする）をフレーム（鍵盤フレーム）に組み付けた状態を示すこの発明による鍵盤装置の低音域側の平面図であり、図８はそのＸ−Ｘ線に沿う断面図である。
【００３７】
フレーム６０は、後方にメイン基板６１（図７に仮想線で示す）を収納するメイン基板収納部６０ａと、その左右両端部に一対のスピーカボックス収納部６０ｂとが凹陥して形成され、それらの手前側に鍵ユニット取付部６０ｃが高段部になって形成され、その手前側に鍵スイッチ回路基板取付部６０ｄが一段低く形成されている。このフレーム６０は金属板あるいは樹脂により、図８に示すように上下方向に複雑折り曲げ形成され、要所に補強用リブを一体に設けて、充分な強度を持つようにしている。
【００３８】
そして、鍵ユニット取付部６０ｃ上に、前述した鍵ユニットＪをその各鍵共通支持部１３，２３，３３を積み重ねた鍵共通支持部３Ｊを載置し、鍵並び方向に複数の鍵ユニットＪをその鉤部４０と係止部５０とを嵌合させて連結すると共に、その各係止片３５の先端部をフレーム６０に形成された係止孔６０ｅに嵌挿させて仮固定する。
【００３９】
その後、鍵共通支持部３Ｊの螺子孔３６に螺子６２を挿通して、フレーム６０に設けられた螺子ボス部６０ｆにねじ込んで固定する。その際、座部３６ａ上に仮想線で示すようにスイッチパネル６３等を傾斜させて載置し、螺子６２によって共締めして取り付けることもできる。
【００４０】
フレーム６０の鍵スイッチ回路基板取付部６０ｄには、鍵並び方向（図７では左右方向）に長く延びる突壁６０ｇと、その後方に間隔を置いて並行に延びるリブ６０ｉと、さらにその後方に鍵並び方向に間隔を置いて形成された螺子ボス６０ｊとが設けられており、突壁６０ｇには鍵並び方向に間隔を置いて螺子穴６０ｈが形成されている。
この突壁６０ｇと螺子ボス６０ｊ上に、鍵並び方向に延びる鍵スイッチ回路基板６４を載置し、螺子６５，６６によって、突壁６０ｇ及び螺子ボス６０ｊにねじ込み固定している。
【００４１】
この鍵スイッチ回路基板６４上には、鍵ユニットＪの各鍵本体１２，２２，３２との間に、それぞれ鍵スイッチ６７を設けており、その鍵スイッチ６７は、それぞれ鍵スイッチ回路基板６４上に支持された対の固定接点６７ａと、その固定接点６７ａを囲む閉空間６７ｄを形成し、固定接点６７ａに対向する可動接点６７ｂを設けたカップ状弾性部材６７ｃとからなる。
また、押鍵時にこの鍵スイッチ６７のカップ状弾性部材６７ｃの変形に伴う閉空間６７ｄ内の空気の流出及び流入を促進する空気孔６４ａを、鍵スイッチ回路基板６４の表裏を貫通して設けている。
【００４２】
これによって、押離鍵時のカップ状弾性部材６７ｃの変形・復元がスムーズにでき、可動接点６７ｂによる固定接点６７ａの開閉も迅速になされる。
そして、フレーム６０の突壁６０ｇとリブ６０ｉとが空気孔６４ａの外側近傍を囲むように形成されており、塵埃の進入を防ぐ遮蔽部材の役目を果している。
白鍵用と黒鍵用では鍵スイッチ６７の鍵長手方向の位置がずれているが、空気孔６４ａの位置は同じになるようにしている。
【００４３】
鍵スイッチ回路基板６４の前端部下面には、フエルト等の緩衝材からなる上限ストッパ６８がその全長に亘って貼着されており、各鍵本体１２，２２，３２の下部にそれぞれ延設されたＬ字状のストッパ片６９の先端部がその上限ストッパ６８に当接することにより、鍵スイッチ６７のカップ状弾性部材６７ｃの弾性復元力によって上方へ回動付勢された各鍵の上限位置が規制され、非押鍵時における各鍵の高さを揃えている。
【００４４】
また、フレーム６０上の各鍵のストッパ片６９と対向する位置にも、フエルト等の緩衝材からなる下限ストッパ７０が鍵並び方向に沿って貼着されており、押鍵された鍵のストッパ片６９の下端部がこの下限ストッパ７０に当接することにより、その鍵の下降位置が規制される。
【００４５】
さらに、フレーム６０の鍵ユニット取付部６０ｃに、図７に示すように鍵長手方向のスリット６０ｋを形成し、その手前側に凹陥部６０ｍを設けており、メイン基板６１と鍵スイッチ回路基板６４とを接続するフラットケーブル７１を、スリット６０ｋ内を垂直にして通し、凹陥部６０ｍで９０°ねじって水平にして鍵スイッチ回路基板６４の端子に接続するようにしている。
【００４６】
なお、各鍵ユニットの鍵支持部は、この実施形態のように複数の鍵本体を支持する鍵共通支持部であるものに限らず、１個の鍵本体を支持するものであっても、フレームに鍵の支点部を設ける必要がなく、且つ組立て保守が容易であるという効果は得られる。
また、鍵ユニットが多段積層型のものに限らず、単体のものであっても、この発明を適用することができる。
【００４７】
各鍵ユニットの鍵本体を鍵支持部に押離鍵方向に揺動可能に接続する接続部を、鍵本体の後端部の幅より広く形成することにより、さらにはその全幅に亘って鍵本体と連動する厚肉部を設けることによって、鍵並び方向へのヨーイング強度を高め、鍵ガイドを不要にすることも可能になるが、図９に示した従来例のように、接続部の幅が鍵本体の後端部の幅と同じものであっても、この発明を適用することはできる。
【００４８】
各鍵ユニットの成形時に樹脂が注入されるゲート対応部を、各接続部の厚肉部に設けた例について説明したが、鍵本体の後端部に設けても略同等の効果を得ることができる。
【００４９】
多段積層型の鍵盤装置の場合には、各鍵ユニットの接続部の幅を鍵後端の幅より広くして、厚肉部を設けることにより、鍵幅方向に対する断面二次モーメントが大きくなり、鍵ガイドを使用しなくても鍵本体の鍵幅方向の横振れ（ヨーイング）を充分に規制することができ、グリッサンド奏法などによる演奏にも支障をきたすことがない。その厚肉部と重ならない位置にゲート対応部を設ければ、そのゲート対応部に尖りが生じてもそれが押鍵時に他の鍵の接続部に当接することがないので、各ユニットの接続部を押鍵方向に近づけて重ねることができ、鍵支持部全体の高さを低くすることができる。
【００５０】
【発明の効果】
以上説明してきたように、この発明によれば、鍵本体と鍵支持部と、その鍵本体を鍵支持部に押離鍵方向に揺動可能に接続する接続部とを樹脂で一体に成形した鍵ユニットからなる鍵盤装置において、その成形時に金型のゲートから注入される樹脂が鍵本体の後端部あるいは接続部から金型内を均等に流れるようになるので、流れのアンバランスが生じたり、接続部にウエルドラインが形成されることがなくなり、特に鍵支点の均一化及び強度向上を図ることができ、各鍵の操作性及び操作感の均一性を向上することができる。
【図面の簡単な説明】
【図１】この発明による鍵盤装置の一実施形態の１オクターブ分の鍵ユニットの重ね合わせ状態を示す平面図である。
【図２】図１に示した鍵ユニットの鍵支持部に鉤部を形成した端部側から見た部分的な斜視図である。
【図３】同じくその鍵支持部の鉤部を形成した端部の部分的背面図である。
【図４】図１に示した鍵ユニットの鍵支持部に係止部を形成した端部側から見た部分的な斜視図である。
【図５】同じくその側面図である。
【図６】図１に示した鍵ユニットとそれに隣接する同様な鍵ユニットとの連結状態を示す部分的平面図である。
【図７】図１に示した１オクターブ分の鍵ユニットをフレームに組み付けた状態を示すこの発明による鍵盤装置の低音域側の平面図である。
【図８】図７のＸ−Ｘ線に沿う断面図である。
【図９】従来の櫛歯型の鍵盤装置の例を示す分解斜視図である。
【図１０】従来の他の鍵盤装置の白鍵ユニットの一部のみを示す平面図である。
【符号の説明】
Ｊ，Ｋ…鍵ユニット、１０…第１の白鍵ユニット、２０…第２の白鍵ユニット、３０…黒鍵ユニット、１２，２２…鍵本体（白鍵）、３２…鍵本体（黒鍵）、３Ｊ，３Ｋ，１３，２３，３３…鍵共通支持部（鍵支持部）、１４，２４，３４…接続部、１４ａ，２４ａ，３４ａ…厚肉部（鍵連動部）、１４ｂ，２４ｂ，３４ｂ…薄肉部（ヒンジ部）、１４ｄ，２４ｄ，３４ｄ…ゲート対応部、３５…係止片、４０…鉤部、４１…突片、４２…鉤片、５０…係止部、５１，５２，５３…凹部、５４…壁部、５４ａ…スリット、６０…フレーム、６１…メイン基板、６２…螺子、６４…鍵スイッチ回路基板、６７…鍵スイッチ、７１…フラットケーブル
【図１】
0003664111.tif 000002
【図２】
0003664111.tif 000003
【図３】
0003664111.tif 000004
【図４】
0003664111.tif 000005
【図５】
0003664111.tif 000006
【図６】
0003664111.tif 000007
【図７】
0003664111.tif 000008
【図８】
0003664111.tif 000009
【図９】
0003664111.tif 000010
【図１０】
0003664111.tif 000011